(57)【特許請求の範囲】
【請求項１】
基地局がユーザ端末機(User Equipment:ＵＥ)にスケジュールリング割当て(Scheduling Assignment:ＳＡ）を伝達するダウンリンク制御情報(Downlink Control Information:ＤＣＩ)フォーマットを送信し、前記ＤＣＩフォーマットは、前記ＵＥから前記基地局へのデータ情報の送信を構成する情報要素(Information Element:ＩＥ)を含み、前記ＩＥは２進要素(binary element)を含む通信システムにおいて、前記ＵＥからの基準信号(Reference Signal:ＲＳ）の送信を活性化する方法であって、
前記ＤＣＩフォーマットに二つの２進要素を含む“ＲＳ活性化(RS Activation)”ＩＥを含めるステップと、
前記“ＲＳ活性化”ＩＥが含まれているＤＣＩフォーマットを前記ＵＥに送信するステップと、を含み、
前記“ＲＳ活性化”ＩＥの二つの２進要素が値‘００’を有する場合に、前記ＵＥはＲＳの送信をスキップし、
前記“ＲＳ活性化”ＩＥの二つの２進要素が‘００’以外の値を有する場合に、前記ＵＥはＲＳを送信し、
前記‘００’以外の値を有する“ＲＳ活性化”ＩＥの各値は、ＲＳ送信に対する各パラメータのセットを示し、
前記“ＲＳ活性化”ＩＥによりトリガー(trigger)されるＲＳ送信が、前記基地局から前記ＵＥに対して以前に構成された、周期的に発生する同じタイプのＲＳ送信と同じ場合には、前記ＵＥは、前記“ＲＳ活性化”ＩＥによりトリガーされるＲＳのみを送信することを特徴とする方法。
【請求項２】
前記ＵＥは多重送信器アンテナのセットを有し、
前記‘００’以外の値を有する“ＲＳ活性化”ＩＥは、前記多重送信器アンテナのうち、ＵＥ送信器アンテナのサブセットを示し、前記ＵＥは、前記ＵＥ送信器アンテナのサブセットに含まれる各送信器アンテナのみからＲＳを送信することを特徴とする請求項１に記載の方法。
【請求項３】
前記“ＲＳ活性化”ＩＥは、第１のＵＥ送信器アンテナからのＲＳ送信に対する第１のパラメータのセットを示し、前記ＵＥが前記第１のＵＥ送信器アンテナからのＲＳ送信に対する前記第１のパラメータのセットに含まれる各パラメータから前記ＵＥ送信器アンテナのサブセットに含まれている各残りのＵＥ送信器アンテナからのＲＳ送信に対するパラメータのセットを決定することを特徴とする請求項２に記載の方法。
【請求項４】
各パラメータのセットは、循環シフト(cyclic shift)あるいは二つの送信コムから送信コムを含み、
前記ＵＥは、循環シフト、あるいは各循環シフトから前記ＵＥ送信器アンテナのサブセットに含まれている各残りのＵＥ送信器アンテナからＲＳ送信に対する送信コム、あるいは、前記ＵＥ送信器アンテナのサブセットに含まれている前記第１のＵＥ送信器アンテナから及び前記ＵＥ送信器アンテナのサブセットに含まれている前記ＵＥ送信器アンテナからのＲＳ送信に対する送信コムを決定することを特徴とする請求項３に記載の方法。
【請求項５】
前記“ＲＳ活性化”ＩＥは、前記ＵＥ送信器アンテナのサブセットに含まれている前記第１のＵＥ送信器アンテナからのＲＳ送信に対する帯域幅及び前記ＵＥ送信器アンテナのサブセットに含まれている各残りの送信器アンテナからのＲＳ送信に対する帯域幅は同じ帯域幅を有することを示すことを特徴とする請求項３に記載の方法。
【請求項６】
前記‘００’以外の値を有する“ＲＳ活性化”ＩＥの各値に該当するパラメータの各セットは、前記基地局により上位階層シグナルリング(higher layer signaling)を通して前記ＵＥで構成されることを特徴とする請求項１に記載の方法。
【請求項７】
前記ＵＥはＲＳを一度送信することを特徴とする請求項１に記載の方法。
【請求項８】
基地局がユーザ端末機(User Equipment:ＵＥ)にスケジュールリング割当て(Scheduling Assignment:ＳＡ）を伝達するダウンリンク制御情報(Downlink Control Information:ＤＣＩ)フォーマットを送信し、前記ＤＣＩフォーマットは、前記ＵＥから前記基地局へのデータ情報の送信を構成する情報要素(Information Element:ＩＥ)を含み、前記ＩＥは２進要素(binary element)を含む通信システムにおいて、前記ＵＥからの基準信号(Reference Signal:ＲＳ）の送信を活性化する方法であって、
前記基地局から二つの２進要素を含む“ＲＳ活性化(RS Activation)”ＩＥが含まれたＤＣＩフォーマットを受信するステップと、
前記“ＲＳ活性化”ＩＥの二つの２進要素が値‘００’を有する場合に、ＲＳの送信をスキップするステップと、
前記“ＲＳ活性化”ＩＥの二つの２進要素が‘００’以外の値を有する場合に、ＲＳを送信するステップと、を含み、
前記‘００’以外の値を有する“ＲＳ活性化”ＩＥの各値は、ＲＳ送信に対する各パラメータのセットを示し、
前記“ＲＳ活性化”ＩＥによりトリガー(trigger)されるＲＳ送信が、前記基地局から前記ＵＥに対して以前に構成された、周期的に発生する同じタイプのＲＳ送信と同じ場合には、前記ＵＥは、前記“ＲＳ活性化”ＩＥによりトリガーされるＲＳのみを送信することを特徴とする方法。
【請求項９】
前記ＵＥは多重送信器アンテナのセットを有し、
前記‘００’以外の値を有する“ＲＳ活性化”ＩＥは、前記多重送信器アンテナのうち、ＵＥ送信器アンテナのサブセットを示し、前記ＵＥは、前記ＵＥ送信器アンテナのサブセットに含まれる各送信器アンテナのみからＲＳを送信することを特徴とする請求項８に記載の方法。
【請求項１０】
前記“ＲＳ活性化”ＩＥは、第１のＵＥ送信器アンテナからのＲＳ送信に対する第１のパラメータのセットを示し、前記ＵＥが前記第１のＵＥ送信器アンテナからのＲＳ送信に対する前記第１のパラメータのセットに含まれる各パラメータから前記ＵＥ送信器アンテナのサブセットに含まれている各残りのＵＥ送信器アンテナからのＲＳ送信に対するパラメータのセットを決定することを特徴とする請求項９に記載の方法。
【請求項１１】
各パラメータのセットは、循環シフト(cyclic shift)あるいは二つの送信コムから送信コムを含み、
前記ＵＥは、循環シフト、あるいは各循環シフトから前記ＵＥ送信器アンテナのサブセットに含まれている各残りのＵＥ送信器アンテナからＲＳ送信に対する送信コム、あるいは、前記ＵＥ送信器アンテナのサブセットに含まれている前記第１のＵＥ送信器アンテナから及び前記ＵＥ送信器アンテナのサブセットに含まれている前記ＵＥ送信器アンテナからのＲＳ送信に対する送信コムを決定することを特徴とする請求項１０に記載の方法。
【請求項１２】
前記“ＲＳ活性化”ＩＥは、前記ＵＥ送信器アンテナのサブセットに含まれている前記第１のＵＥ送信器アンテナからのＲＳ送信に対する帯域幅及び前記ＵＥ送信器アンテナのサブセットに含まれている各残りの送信器アンテナからのＲＳ送信に対する帯域幅は同じ帯域幅を有することを示すことを特徴とする請求項１０に記載の方法。
【請求項１３】
前記‘００’以外の値を有する“ＲＳ活性化”ＩＥの各値に該当するパラメータの各セットは、前記基地局により上位階層シグナルリング(higher layer signaling)を通して前記ＵＥで構成されることを特徴とする請求項８に記載の方法。
【請求項１４】
前記ＵＥはＲＳを一度送信することを特徴とする請求項８に記載の方法。
【請求項１５】
基地局がユーザ端末機(User Equipment:ＵＥ)にスケジュールリング割当て(Scheduling Assignment:ＳＡ）を伝達するダウンリンク制御情報(Downlink Control Information:ＤＣＩ)フォーマットを送信し、前記ＤＣＩフォーマットは、前記ＵＥから前記基地局へのデータ情報の送信を構成する情報要素(Information Element:ＩＥ)を含み、前記ＩＥは２進要素(binary element)を含む通信システムにおいて、前記ＵＥからの基準信号(Reference Signal:ＲＳ）の送信を活性化する方法であって、
前記ＤＣＩフォーマットに一つの２進要素を含む“ＲＳ活性化(RS Activation)”ＩＥを含めるステップと、
前記“ＲＳ活性化”ＩＥが含まれているＤＣＩフォーマットを前記ＵＥに送信するステップと、を含み、
前記“ＲＳ活性化”ＩＥの２進要素が値‘０’を有する場合に、前記ＵＥはＲＳの送信をスキップし、
前記“ＲＳ活性化”ＩＥの２進要素が値‘１’を有する場合に、前記ＵＥはＲＳを送信し、
し、
前記“ＲＳ活性化”ＩＥによりトリガー(trigger)されるＲＳ送信が、前記基地局から前記ＵＥに対して以前に構成された、周期的に発生する同じタイプのＲＳ送信と同じ場合には、前記ＵＥは、前記“ＲＳ活性化”ＩＥによりトリガーされるＲＳのみを送信することを特徴とする方法。
【請求項１６】
前記ＲＳ送信パラメータは、前記基地局から上位階層シグナルリング(higher layer signaling)を通して前記ＵＥで構成されることを特徴とする請求項１５に記載の方法。
【請求項１７】
前記ＵＥはＲＳを一度送信することを特徴とする請求項１５に記載の方法。
【請求項１８】
前記データ情報は、前記ＲＳと異なる送信時区間の間に送信されることを特徴とする請求項１５に記載の方法。
【請求項１９】
基地局がユーザ端末機(User Equipment:ＵＥ)にスケジュールリング割当て(Scheduling Assignment:ＳＡ）を伝達するダウンリンク制御情報(Downlink Control Information:ＤＣＩ)フォーマットを送信し、前記ＤＣＩフォーマットは、前記ＵＥから前記基地局へのデータ情報の送信を構成する情報要素(Information Element:ＩＥ)を含み、前記ＩＥは２進要素(binary element)を含む通信システムにおいて、前記ＵＥからの基準信号(Reference Signal:ＲＳ）の送信を活性化する方法であって、
前記基地局から“ＲＳ活性化(RS Activation)”ＩＥが含まれているＤＣＩフォーマットを受信するステップと、
前記“ＲＳ活性化”ＩＥの２進要素が値‘０’を有する場合に、ＲＳの送信をスキップするステップと、
前記“ＲＳ活性化”ＩＥの２進要素が値‘１’を有する場合に、ＲＳを送信するステップと、を含み、
し、
前記“ＲＳ活性化”ＩＥによりトリガー(trigger)されるＲＳ送信が、前記基地局から前記ＵＥに対して以前に構成された、周期的に発生する同じタイプのＲＳ送信と同じ場合には、前記ＵＥは、前記“ＲＳ活性化”ＩＥによりトリガーされるＲＳのみを送信することを特徴とする方法。
【請求項２０】
前記ＲＳ送信パラメータは、前記基地局から上位階層シグナルリング(higher layer signaling)を通して前記ＵＥで構成されることを特徴とする請求項１９に記載の方法。
【請求項２１】
前記ＵＥはＲＳを一度送信することを特徴とする請求項１９に記載の方法。
【請求項２２】
前記データ情報は、前記ＲＳと異なる送信時区間の間に送信されることを特徴とする請求項１９に記載の方法。
【請求項２３】
基地局がユーザ端末機(User Equipment:ＵＥ)にスケジュールリング割当て(Scheduling Assignment:ＳＡ）を伝達するダウンリンク制御情報(Downlink Control Information:ＤＣＩ)フォーマットを送信し、前記ＤＣＩフォーマットは、前記ＵＥから前記基地局へのデータ情報の送信を構成する情報要素(Information Element:ＩＥ)を含み、前記ＩＥは２進要素(binary element)を含む通信システムにおける前記基地局であって、
前記ＤＣＩフォーマットに二つの２進要素を含む“基準信号(Reference Signal:ＲＳ）活性化(ＲＳ活性化)”ＩＥを含める構成部と、
前記“ＲＳ活性化”ＩＥが含まれているＤＣＩフォーマットを前記ＵＥに送信する送信器と、を含み、
前記“ＲＳ活性化”ＩＥの二つの２進要素が値‘００’を有する場合に、前記ＵＥはＲＳの送信をスキップし、
前記“ＲＳ活性化”ＩＥの二つの２進要素が‘００’以外の値を有する場合に、前記ＵＥはＲＳを送信し、
前記‘００’以外の値を有する“ＲＳ活性化”ＩＥの各値は、ＲＳ送信に対する各パラメータのセットを示し、
前記“ＲＳ活性化”ＩＥによりトリガー(trigger)されるＲＳ送信が、前記基地局から前記ＵＥに対して以前に構成された、周期的に発生する同じタイプのＲＳ送信と同じ場合には、前記ＵＥは、前記“ＲＳ活性化”ＩＥによりトリガーされるＲＳのみを送信することを特徴とする基地局。
【請求項２４】
前記ＵＥは多重送信器アンテナのセットを有し、
前記‘００’以外の値を有する“ＲＳ活性化”ＩＥは、前記多重送信器アンテナのうち、ＵＥ送信器アンテナのサブセットを示し、前記ＵＥは、前記ＵＥ送信器アンテナのサブセットに含まれる各送信器アンテナのみからＲＳを送信することを特徴とする請求項２３に記載の基地局。
【請求項２５】
前記“ＲＳ活性化”ＩＥは、第１のＵＥ送信器アンテナからのＲＳ送信に対する第１のパラメータのセットを示し、前記ＵＥが前記第１のＵＥ送信器アンテナからのＲＳ送信に対する前記第１のパラメータのセットに含まれる各パラメータから前記ＵＥ送信器アンテナのサブセットに含まれている各残りのＵＥ送信器アンテナからのＲＳ送信に対するパラメータのセットを決定することを特徴とする請求項２４に記載の基地局。
【請求項２６】
各パラメータのセットは、循環シフト(cyclic shift)あるいは二つの送信コムから送信コムを含み、
前記ＵＥは、循環シフト、あるいは各循環シフトから前記ＵＥ送信器アンテナのサブセットに含まれている各残りのＵＥ送信器アンテナからＲＳ送信に対する送信コム、あるいは、前記ＵＥ送信器アンテナのサブセットに含まれている前記第１のＵＥ送信器アンテナから及び前記ＵＥ送信器アンテナのサブセットに含まれている前記ＵＥ送信器アンテナからのＲＳ送信に対する送信コムを決定することを特徴とする請求項２５に記載の基地局。
【請求項２７】
前記“ＲＳ活性化”ＩＥは、前記ＵＥ送信器アンテナのサブセットに含まれている前記第１のＵＥ送信器アンテナからのＲＳ送信に対する帯域幅及び前記ＵＥ送信器アンテナのサブセットに含まれている各残りの送信器アンテナからのＲＳ送信に対する帯域幅は同じ帯域幅を有することを示すことを特徴とする請求項２５に記載の基地局。
【請求項２８】
前記‘００’以外の値を有する“ＲＳ活性化”ＩＥの各値に該当するパラメータの各セットは、前記基地局により上位階層シグナルリング(higher layer signaling)を通して前記ＵＥで構成されることを特徴とする請求項２３に記載の基地局。
【請求項２９】
前記ＵＥはＲＳを一度送信することを特徴とする請求項２３に記載の基地局。
【請求項３０】
基地局がユーザ端末機(User Equipment:ＵＥ)にスケジュールリング割当て(Scheduling Assignment:ＳＡ）を伝達するダウンリンク制御情報(Downlink Control Information:ＤＣＩ)フォーマットを送信し、前記ＤＣＩフォーマットは、前記ＵＥから前記基地局へのデータ情報の送信を構成する情報要素(Information Element:ＩＥ)を含み、前記ＩＥは２進要素(binary element)を含む通信システムにおける前記ＵＥであって、
前記基地局から二つの２進要素を含む“基準信号(Reference Signal:ＲＳ）活性化(ＲＳ活性化)”ＩＥが含まれたＤＣＩフォーマットを受信する受信器と、
前記“ＲＳ活性化”ＩＥの二つの２進要素が値‘００’を有する場合に、ＲＳの送信をスキップし、前記“ＲＳ活性化”ＩＥの二つの２進要素が‘００’以外の値を有する場合に、ＲＳを送信する送信器と、を含み、
前記‘００’以外の値を有する“ＲＳ活性化”ＩＥの各値は、ＲＳ送信に対する各パラメータのセットを示し、
前記“ＲＳ活性化”ＩＥによりトリガー(trigger)されるＲＳ送信が、前記基地局から前記ＵＥに対して以前に構成された、周期的に発生する同じタイプのＲＳ送信と同じ場合には、前記ＵＥは、前記“ＲＳ活性化”ＩＥによりトリガーされるＲＳのみを送信することを特徴とするＵＥ。
【請求項３１】
前記ＵＥは多重送信器アンテナのセットを有し、
前記‘００’以外の値を有する“ＲＳ活性化”ＩＥは、前記多重送信器アンテナのうち、ＵＥ送信器アンテナのサブセットを示し、前記ＵＥは、前記ＵＥ送信器アンテナのサブセットに含まれる各送信器アンテナのみからＲＳを送信することを特徴とする請求項３０に記載のＵＥ。
【請求項３２】
前記“ＲＳ活性化”ＩＥは、第１のＵＥ送信器アンテナからのＲＳ送信に対する第１のパラメータのセットを示し、前記ＵＥが前記第１のＵＥ送信器アンテナからのＲＳ送信に対する前記第１のパラメータのセットに含まれる各パラメータから前記ＵＥ送信器アンテナのサブセットに含まれている各残りのＵＥ送信器アンテナからのＲＳ送信に対するパラメータのセットを決定することを特徴とする請求項３１に記載のＵＥ。
【請求項３３】
各パラメータのセットは、循環シフト(cyclic shift)あるいは二つの送信コムから送信コムを含み、
前記ＵＥは、循環シフト、あるいは各循環シフトから前記ＵＥ送信器アンテナのサブセットに含まれている各残りのＵＥ送信器アンテナからＲＳ送信に対する送信コム、あるいは、前記ＵＥ送信器アンテナのサブセットに含まれている前記第１のＵＥ送信器アンテナから及び前記ＵＥ送信器アンテナのサブセットに含まれている前記ＵＥ送信器アンテナからのＲＳ送信に対する送信コムを決定することを特徴とする請求項３２に記載のＵＥ。
【請求項３４】
前記“ＲＳ活性化”ＩＥは、前記ＵＥ送信器アンテナのサブセットに含まれている前記第１のＵＥ送信器アンテナからのＲＳ送信に対する帯域幅及び前記ＵＥ送信器アンテナのサブセットに含まれている各残りの送信器アンテナからのＲＳ送信に対する帯域幅は同じ帯域幅を有することを示すことを特徴とする請求項３２に記載のＵＥ。
【請求項３５】
前記‘００’以外の値を有する“ＲＳ活性化”ＩＥの各値に該当するパラメータの各セットは、前記基地局により上位階層シグナルリング(higher layer signaling)を通して前記ＵＥで構成されることを特徴とする請求項３０に記載のＵＥ。
【請求項３６】
前記ＵＥはＲＳを一度送信することを特徴とする請求項３０に記載のＵＥ。
【請求項３７】
基地局がユーザ端末機(User Equipment:ＵＥ)にスケジュールリング割当て(Scheduling Assignment:ＳＡ）を伝達するダウンリンク制御情報(Downlink Control Information:ＤＣＩ)フォーマットを送信し、前記ＤＣＩフォーマットは、前記ＵＥから前記基地局へのデータ情報の送信を構成する情報要素(Information Element:ＩＥ)を含み、前記ＩＥは２進要素(binary element)を含む通信システムにおける前記基地局であって、
前記ＤＣＩフォーマットに一つの２進要素を含む“ＲＳ活性化(RS Activation)”ＩＥを含める構成部と、
前記“ＲＳ活性化”ＩＥが含まれているＤＣＩフォーマットを前記ＵＥに送信する送信器と、を含み、
前記“ＲＳ活性化”ＩＥの２進要素が値‘０’を有する場合に、前記ＵＥはＲＳの送信をスキップし、
前記“ＲＳ活性化”ＩＥの２進要素が値‘１’を有する場合に、前記ＵＥはＲＳを送信し、
前記“ＲＳ活性化”ＩＥによりトリガー(trigger)されるＲＳ送信が、前記基地局から前記ＵＥに対して以前に構成された、周期的に発生する同じタイプのＲＳ送信と同じ場合には、前記ＵＥは、前記“ＲＳ活性化”ＩＥによりトリガーされるＲＳのみを送信することを特徴とする基地局。
【請求項３８】
前記ＲＳ送信パラメータは、前記基地局から上位階層シグナルリング(higher layer signaling)を通して前記ＵＥで構成されることを特徴とする請求項３７に記載の基地局。
【請求項３９】
前記ＵＥはＲＳを一度送信することを特徴とする請求項３７に記載の基地局。
【請求項４０】
前記データ情報は、前記ＲＳと異なる送信時区間の間に送信されることを特徴とする請求項３７に記載の基地局。
【請求項４１】
基地局がユーザ端末機(User Equipment:ＵＥ)にスケジュールリング割当て(Scheduling Assignment:ＳＡ）を伝達するダウンリンク制御情報(Downlink Control Information:ＤＣＩ)フォーマットを送信し、前記ＤＣＩフォーマットは、前記ＵＥから前記基地局へのデータ情報の送信を構成する情報要素(Information Element:ＩＥ)を含み、前記ＩＥは２進要素(binary element)を含む通信システムにおける前記ＵＥであって、
前記基地局から“基準信号(Reference Signal:ＲＳ）活性化(ＲＳ活性化)”ＩＥが含まれているＤＣＩフォーマットを受信する受信器と、
前記“ＲＳ活性化”ＩＥの２進要素が値‘０’を有する場合に、ＲＳの送信をスキップし、前記“ＲＳ活性化”ＩＥの２進要素が値‘１’を有する場合に、ＲＳを送信する送信器と、を含み、
前記“ＲＳ活性化”ＩＥによりトリガー(trigger)されるＲＳ送信が、前記基地局から前記ＵＥに対して以前に構成された、周期的に発生する同じタイプのＲＳ送信と同じ場合には、前記ＵＥは、前記“ＲＳ活性化”ＩＥによりトリガーされるＲＳのみを送信することを特徴とするＵＥ。
【請求項４２】
前記ＲＳ送信パラメータは、前記基地局から上位階層シグナルリング(higher layer signaling)を通して前記ＵＥで構成されることを特徴とする請求項４１に記載のＵＥ。
【請求項４３】
前記ＵＥはＲＳを一度送信することを特徴とする請求項４１に記載のＵＥ。
【請求項４４】
前記データ情報は、前記ＲＳと異なる送信時区間の間に送信されることを特徴とする請求項４１に記載のＵＥ。
【発明の詳細な説明】
【技術分野】
【０００１】
本発明は、一般的に、無線通信システムに関し、より具体的には、ユーザ装置の多重送信器アンテナからサウンディング基準信号の送信に関する。サウンディング基準信号は、他の目的の中で、各送信器アンテナからの信号によって得られるチャネル媒体の推定を提供しようとする。本発明は、通信システムの多重の個別帯域幅でのサウンディング基準信号の送信の支援に向けられる。
【背景技術】
【０００２】
本願では、
【数１】
0005547734.tif 000002
を
Ｘａｂ
と表記する。
【０００３】
通信システムが適切に機能するために、幾つかのタイプの信号が通信システムにより支援される。情報コンテンツを伝達するデータ信号に加えて、データ信号の適切な処理を可能にするように制御信号を送信する必要がある。このような信号は、通信システムのアップリンク（ＵＬ）でユーザ装置（ＵＥ）からこれらをサービングする基地局（ＢＳ又はノードＢ）に送信され、通信システムのダウンリンク（ＤＬ）でサービングノードＢからＵＥに送信される。制御信号の例は、ポジティブ又はネガティブ受信確認信号（ＡＣＫ又はＮＡＫ）を含み、これらの信号は、正確な又は不正確なデータパケット受信に応じてＵＥにより送信される。また、制御信号は、チャネル品質指示（ＣＱＩ）信号を含み、これは、ＵＥによりノードＢに送信されることによりＵＥが経験するダウンリンクチャネル状態に関する情報を提供する。パイロット信号とも知られている基準信号（ＲＳ）は、一般的に各ＵＥにより送信されることにより送信されたデータ又はノードＢやアップリンクでの制御信号に対するコヒーレント復調を可能にし、これにより、ＵＥが経験するアップリンクチャネル状態を測定するために受信するノードＢにより使用される。データ又は制御信号の復調に使用されるＲＳは、復調（ＤＭ）ＲＳと称され、アップリンクチャネル媒体をサウンディングするために使用される一般的に広帯域特性を有するＲＳは、サウンディングＲＳ（Sounding RS；ＳＲＳ）と称される。
【０００４】
通常、ターミナル又は移動局と呼ばれるＵＥは、固定されるか又は移動可能なものであってもよく、無線装置、セルラーフォン、個人用コンピュータ装置などであってもよい。ノードＢは、一般的に固定局であり、基地局送受信システム（ＢＴＳ）、アクセスポイント、又はその他の用語として称されることもある。
【０００５】
ＵＥは、データ又は制御情報を伝達する信号を物理アップリンク共有チャネル（ＰＵＳＣＨ）を通して送信し、一方、ＰＵＳＣＨ送信がなされない際に、ＵＥは、制御信号を物理アップリンク制御チャネル（ＰＵＣＣＨ）を通して送信する。ＵＥは、データ情報を伝達する信号を物理ダウンリンク共有チャネル（ＰＤＳＣＨ）を通して受信し、他方、ダウンリンク制御信号は、物理ダウンリンク制御チャネル（ＰＤＣＣＨ）を通して運搬される。
【０００６】
ＵＥは、データ又は制御信号を、例えば、１ミリ秒（ｍｓｅｃ）の期間を有するサブフレームに対応することができる送信時間間隔（ＴＴＩ）にわたって送信するものと仮定する。
【０００７】
図１は、ＰＵＳＣＨ送信に対するサブフレーム構造１１０のブロック図を示す。サブフレームは、２つのスロットを含む。各スロット１２０は、データ及び／又は制御信号の送信のために使用される７個のシンボルを含む。各シンボル１３０は、チャネル伝播効果（channel propagation effect）による干渉を軽減するためのサイクリックプレフィックス（Cyclic Prefix；ＣＰ）をさらに含む。各スロットでの幾つかのシンボルは、チャネル推定を提供し、受信された信号のコヒーレント復調を可能にするためにＲＳ送信１４０に使用されてもよい。ＴＴＩの間に１つのスロットのみを有するか又は１つ以上のサブフレームを有することも可能である。送信帯域幅（ＢＷ）は、周波数リソースユニット（frequency resource unit）を含むものと仮定し、ここでは、これらをリソースブロック（ＲＢ）として称する。例えば、各ＲＢは、ＮＲＢsc＝１２個のサブキャリアを含む。ＵＥは、ＰＵＳＣＨ送信のために１つ以上のＲＢ１５０の割当てを受け、ＰＵＣＣＨ送信のために１つのＲＢの割当てを受けることもある。この値は、図示のみを目的で提供されたものである。
【０００８】
ＵＥによるＰＵＳＣＨ送信又はＰＤＳＣＨ受信は、ＵＥでの対応するスケジューリング割当て（ＳＡ）を受信することにより開始されることができ、これは、ノードＢによりＰＤＣＣＨでダウンリンク制御情報（ＤＣＩ）フォーマットを通して送信されたのである。ＤＣＩフォーマットは、ＰＤＳＣＨ（ダウンリンクＳＡ）でノードＢによるデータパケット送信に関して又はＰＵＳＣＨでノードＢ（アップリンクＳＡ）へのデータパケット送信に関してＵＥに通知することができる。ノードＢは、ＳＡを伝達する各ＤＣＩフォーマットを個別的に符号化し送信するものと仮定する。
【０００９】
図２は、ＳＡ送信に対するノードＢでの処理チェーン（processing chain）を示す。ＳＡが意図されるＵＥに対して、媒体アクセス制御（ＭＡＣ）ＵＥ  ＩＤは、ＳＡ符号語のＣＲＣをマスキングする。これは、基準ＵＥが、ＳＡが意図されることを識別することができるようにする。ＳＡ（符号化されない）ビット２１０のＣＲＣは、ブロック２２０で計算された後に、ＣＲＣビット間の排他的論理和（ＸＯＲ）演算２３０及びＭＡＣ  ＵＥ  ＩＤ２４０を用いてマスキングされる。具体的に、ＸＯＲ（０，０）＝０、ＸＯＲ（０，１）＝１、ＸＯＲ（１，０）＝１、ＸＯＲ（１，１）＝０である。その後に、マスキングされたＣＲＣは、ブロック２５０でＳＡビットに添付され、例えば、畳み込み符号化（convolutional coding）のようなチャネル符号化がブロック２６０で行われる。それぞれの制御信号２９０を送信する前に、割り当てられたＰＤＣＣＨリソースに対するレート整合（rate matching）は、ブロック２７０で実行され、インターリービング及び変調は、ブロック２８０で実行される。
【００１０】
ＵＥ受信器は、ＳＡを有しているか否かを判定するためにノードＢ送信器の逆動作を実行する。これらの動作を図３に示す。受信された制御信号３１０は、復調され、この復調されたビットは、ブロック３２０でデインターリービングされる。ノードＢレート整合は、ブロック３３０で復旧され、次いで、ブロック３４０でデコーディングされた後に、ブロック３５０でＣＲＣビットを抽出した後にＳＡビット３６０が取得され、ＵＥ  ＩＤ３８０でＸＯＲ演算３７０を適用することによりデマスキングされる。最後に、ＵＥは、ブロック３９０でＣＲＣテストを行う。ＣＲＣテストを通過すると、ＵＥは、ＳＡが有効なものと見なし、信号受信（ダウンリンクＳＡ）又は信号送信（アップリンクＳＡ）に対するパラメータを決定する。ＣＲＣテストを通過できない場合に、ＵＥは、この見なされた（presumed）ＳＡを無視する。
【００１１】
アップリンクＳＡ  ＤＣＩフォーマットを表１をもって説明する。表１は、アップリンクＳＡ  ＤＣＩフォーマットが一般的に含む少なくとも幾つかの情報要素（ＩＥ）に関する情報を提供する。表１に示すように、付加的なＩＥ又は各指示（indicative）ＩＥの相互に異なるビット数が適用されることができる。アップリンクＳＡ  ＤＣＩフォーマットに現れるＩＥの順序は、任意の順序となっている。
【００１２】
【表１】
0005547734.tif 000003
【００１３】
第１のＩＥは、ＲＢ割当てを提供する。ＵＬ信号送信方法は、単一キャリア周波数分割多重接続（Single Carrier Frequency Division Multiple Access；ＳＣ−ＦＤＭＡ）であると仮定する。ＳＣ−ＦＤＭＡでは、信号送信ＢＷは連続的である。ＮＵＬＲＢ個のＲＢの動作ＢＷにおいて、ＵＥへの連続したＲＢの可能な割当て個数は、１＋２＋...＋ＮＵＬＲＢ＝ＮＵＬＲＢ（ＮＵＬＲＢ＋１）／２であり、
【数２】
0005547734.tif 000004
ビットでシグナリングされることができ、ここで、
【数３】
0005547734.tif 000005
は、数字を隣接した大きい整数に丸めるシーリング（ceiling）演算を示す。したがって、ＮＵＬＲＢ＝５０に対して、ＩＥは、１１個のビットを必要とする。送信方法に無関係に、アップリンクＳＡ  ＤＣＩフォーマットは、リソース割当てに対するＩＥを含むと仮定する。
【００１４】
第２のＩＥは、変調及び符号化方式（Modulation and Coding Scheme；以下、“ＭＣＳ”と称する。）又は転送ブロックサイズ（Transport Block Size；以下、“ＴＢＳ”と称する。）を提供する。５個のビットを有し、合計３２個のＭＣＳ又はＴＢＳを支援することができる。例えば、変調は、ＱＰＳＫ、ＱＡＭ１６、又はＱＡＭ６４であってもよく、符号化率は、例えば、１／１６と１の間の離散値（discrete value）を取ってもよい。リソース割当て情報を用いて、ＵＥは、ＭＣＳからＴＢＳを決定することができ、反対に行うこともできる。幾つかのＭＣＳ  ＩＥ値は、以下に説明するように、ハイブリッド自動再送要求（Hybrid Automatic Repeat reQuest；ＨＡＲＱ）のアプリケーションと関連して用いられてもよい。
【００１５】
第３のＩＥは、新規データ指示子（ＮＤＩ）である。新規転送ブロックが送信されなければならない場合に、ＮＤＩは、１に設定され、前の送信と同様に、同一の転送ブロックが送信されなければならない場合に（この例では、同期アップリンクＨＡＲＱが仮定される）、ＮＤＩは、０に設定される。
【００１６】
第４のＩＥは、送信されたＰＵＳＣＨ信号及びＳＲＳ信号への電力調整のために送信電力制御（Transmission Power Control；以下、“ＴＰＣ”と称する。）コマンドを提供する。
【００１７】
第５のＩＥは、ＰＵＳＣＨでＤＭ  ＲＳに使用される定振幅ゼロ自己相関（Constant Amplitude Zero Auto-Correlation；ＣＡＺＡＣ）シーケンスに対して異なるＣＳの使用を可能にする循環シフト（Cyclic Shift；ＣＳ）指示子である。以下に説明するように、異なるＵＥによる異なるＣＳの使用は、各ＲＳの直交マルチプレキシングを提供することができる。
【００１８】
第６のＩＥは、周波数でのＰＵＳＣＨ送信がホッピングするか否かを示す。
【００１９】
第７のＩＥは、ダウンリンクＣＱＩ報告がＰＵＳＣＨに含まれるべきであるか否かを示す。
【００２０】
ノードＢがＵＥからのＰＵＳＣＨ送信に対するＲＢ及びＭＣＳを適切に決定するために、アップリンクＣＱＩ推定が動作帯域幅の少なくとも一部にわたって行われる必要がある。一般的に、このアップリンクＣＱＩ推定は、スケジューリング帯域幅にわたってＳＲＳを送信するＵＥにより取得される。ＳＲＳは、１つ以上のアップリンクサブフレームシンボルで送信され、データ又は制御の送信を置き換える。送信帯域幅にわたった信号対干渉雑音比（Signal-to-Interference and Noise Ratio；ＳＩＮＲ）推定の提供に加えて、ＳＲＳは、アップリンクＴＰＣ及びアップリンク同期化に使用されることができる。
【００２１】
図４は、ＳＲＳ送信を示す。ＳＲＳ送信は、それぞれ４．３％のＳＲＳオーバーヘッドに対して１つおきのサブフレーム４６０、４６５の最後のサブフレームシンボルで発生する。ＵＥ１  ４１０及びＵＥ２  ４２０は、第１のサブフレーム４０１の間に動作帯域幅の異なる部分でこれらのＰＵＳＣＨ送信をマルチプレキシングし、他方、ＵＥ２  ４２０及びＵＥ３  ４３０は、第２のサブフレーム４０２の間にこのように行い、ＵＥ４  ４４０及びＵＥ５  ４５０は、第３のサブフレーム４０３の間にこのように行う。幾つかのアップリンクサブフレームシンボルにおいて、ＵＥは、ＤＭ  ＲＳを送信することによりノードＢ受信器が残っているサブフレームシンボルで送信されたデータ又は制御信号のコヒーレント復調を行うことができるようにする。例えば、ＵＥ１、ＵＥ２、ＵＥ３、ＵＥ４、及びＵＥ５は、ＤＭ  ＲＳ４１５、４２５、４３５、４４５、及び４５５をそれぞれ送信する。ＳＲＳ送信を行うＵＥは、同一のサブフレームでＰＵＳＣＨ送信を行ってもよく、または行わなくてもよい。これらが同一のサブフレームに共存する場合に、ＳＲＳ及びＰＵＳＣＨ送信は、動作帯域幅の異なる部分に位置してもよい。
【００２２】
ＲＳ（ＤＭ  ＲＳ又はＳＲＳ）は、ＣＡＺＡＣシーケンスから構成されるものと仮定する。このようなシーケンスの例を次の数式１で示す。
【００２３】
【数４】
0005547734.tif 000006
【００２４】
ここで、Ｌは、ＣＡＺＡＣシーケンスの長さであり、ｎは、シーケンス要素のインデックスであり、ｎ＝｛０，１，２，．．．，Ｌ−１｝であり、ｋは、シーケンスインデックスである。素数長さＬのＣＡＺＡＣシーケンスに対して、シーケンスの個数は、Ｌ−１である。したがって、シーケンスの全集合（entire family）は、｛１，２，．．．，Ｌ−１｝の範囲であるｋとして定義される。しかしながら、ＲＳ送信のためのシーケンスは、この表現式を正確に用いて生成される必要はない。１つのＲＢがＮＲＢsc＝１２個のサブキャリアを含むものと仮定する。結果的なシーケンスがＣＡＺＡＣシーケンスの定義を正確に実行しないが、ＲＳ送信に使用されたシーケンスは、長い素数（prime）長さ（例えば、長さ１３）のＣＡＺＡＣシーケンスを切り取るか又は１番目のエレメントを最後の部分で反復させて短い素数長さ（例えば、長さ１１）のＣＡＺＡＣシーケンスを拡張（循環拡張）することにより生成されることができる。あるいは、ＣＡＺＡＣシーケンスは、ＣＡＺＡＣ特性を満足するシーケンスのコンピュータ検索を通して生成されることができる。
【００２５】
図５は、ＣＡＺＡＣシーケンスに基づくＤＭ  ＲＳ又はＳＲＳに対する送信器構造を示す。周波数ドメインバージョンのＣＡＺＡＣシーケンスは、離散フーリエ変換（Discrete Fourier Transform；ＤＦＴ）をこの時間ドメインバージョンに適用することにより取得されてもよい。不連続的なサブキャリアを選択することによりコムスペクトル（comb spectrum）は、ＤＭ  ＲＳ又はＳＲＳに対して取得されることができる。コムスペクトルは、ＳＲＳ送信を不規則な帯域幅と重畳させる直交マルチプレキシング（周波数分割）に有用である。このようなＳＲＳは、異なるＣＳを用いて直交マルチプレキシングされることができない異なる長さのＣＡＺＡＣシーケンスにより構成される。
【００２６】
図５を参照すると、周波数ドメインＣＡＺＡＣシーケンス５１０が生成される。割り当てられた送信帯域幅でのサブキャリアは、ブロック５３０での送信帯域幅の制御を通してブロック５２０でマッピングされ、逆高速フーリエ変換（Inverse Fast Fourier Transform；ＩＦＦＴ）は、ブロック５４０で実行され、ＣＳは、ブロック５５０で適用される。ＣＰは、ブロック５６０で適用され、フィルタリングは、時間ウィンドウイングブロック５７０で送信された信号５８０に適用される。他のＵＥにより信号送信のために使用されるサブキャリア及びガード（guard）サブキャリア（図示せず）におけるように、ＵＥは、ＤＭ  ＲＳ又はＳＲＳが送信されないサブキャリアへのパッディング（padding）を適用しない。従来技術で知られたＤＡ（Digital-to-Analog）コンバータ、アナログフィルター、増幅器、及び送信器アンテナのような付加の送信器回路は、図示されていない。
【００２７】
受信器では、逆（相補）送信器機能が行われる。これは、図６に概念的に示され、図５に示すこれらの逆動作が適用される。図６において、アンテナは、無線周波数（ＲＦ）アナログ信号を受信し、もう１つの処理ユニット（例えば、フィルター、増幅器、周波数ダウンコンバータ、及びＡＤ（Analog-to-Digital）コンバータ）を通過した後に、結果的なデジタル受信信号６１０は、時間ウィンドイングユニット６２０を通過し、ＣＰは、ブロック６３０で除去される。次いで、送信されたＣＡＺＡＣ基盤シーケンスのＣＳは、ブロック６４０で復旧され、高速フーリエ変換（Fast Fourier Transform；ＦＦＴ）は、ブロック６５０で適用され、送信されたサブキャリアの選択は、ブロック６６０での受信帯域幅の制御を通してブロック６６５で行われ、ＣＡＺＡＣ基盤シーケンスレプリカ６８０との相関は、乗算器６７０で適用される。最後に、出力６９０が取得された後に、時間−周波数補間器又はアップリンクＣＱＩ推定器のようなチャネル推定ユニットに伝達される。
【００２８】
ＣＡＺＡＣシーケンスの異なるＣＳは、直交シーケンスを提供する。したがって、ＣＡＺＡＣシーケンスの異なるＣＳは、異なるＵＥに割り当てられることができ、同一のＲＢでこれらのＵＥにより送信されたＲＳの直交マルチプレキシングが取得されることができる。この原理を図７に示す。同一のルートＣＡＺＡＣシーケンスの多重ＣＳ７２０、７４０、７６０、及び７８０からそれぞれ生成された多重ＣＡＺＡＣシーケンス７１０、７３０、７５０、及び７７０が直交するために、ＣＳ値Δ７９０は、チャネル伝播遅延拡散Ｄ（時間不確実性エラー及びフィルタースピルオーバー（spillover）効果を含む）を上回らなければならない。Ｔｓが１つのシンボル期間である場合に、ＣＳの個数は、Ｔｓ／Ｄ比の数学的フロア（mathematical floor）と同一である。
【００２９】
ＳＲＳ送信帯域幅は、ＵＥが経験するアップリンクＳＩＮＲにより変わり得る。低いアップリンクＳＩＮＲを有するＵＥの場合に、ノードＢは、帯域幅単位当たり相対的に高い比率の送信ＳＲＳ電力を提供するために小さいＳＲＳ送信帯域幅を割り当てることにより、ＳＲＳから取得したアップリンクＣＱＩ推定の品質を改善することができる。逆に、高いアップリンクＳＩＮＲを有するＵＥの場合に、大きい帯域幅にわたって推定を取得しつつ良好なアップリンクＣＱＩ推定品質をＳＲＳから取得することができるために、ノードＢは、大きいＳＲＳ送信帯域幅を割り当てることができる。
【００３０】
ＳＲＳ送信帯域幅に対する幾つかの組合せは、表２に示すように支援されることができ、これは、３ＧＰＰ  Ｅ−ＵＴＲＡ  ＬＴＥで採用した構成に対応する。ノードＢは、広帯域チャネルを通して構成ｃをシグナリングすることができる。例えば、３ビットは、８個の構成の中の１つを示すことができる。その後に、ノードＢは、構成ｃに対する値ｂを示すことにより可能なＳＲＳ送信帯域幅ｍｃＳＲＳ,ｂ（ＲＢで）を各ＵＥに個別に割り当てることができる。したがって、ノードＢは、帯域幅ｍｃＳＲＳ,０、ｍｃＳＲＳ,１、ｍｃＳＲＳ,２、及びｍｃＳＲＳ,３（表２において、それぞれｂ＝０、ｂ＝１、b＝２、及びｂ＝３）でＵＥからのＳＲＳ送信をマルチプレキシングすることができる。
【００３１】
【表２】
0005547734.tif 000007
【００３２】
最大ＳＲＳ帯域幅での変動は、変化するＰＵＣＣＨサイズに適応するように主に意図される。ＰＵＣＣＨは、動作帯域幅の２つのエッジで送信され、ＳＲＳと重畳（干渉）されないものと仮定される。したがって、ＰＵＣＣＨサイズ（ＲＢで）が大きくなるほど、最大ＳＲＳ送信帯域幅は小さくなる。
【００３３】
図８は、表２から構成ｃ＝３に対する多重ＳＲＳ送信帯域幅の概念を示す。ＰＵＣＣＨは、動作帯域幅の２つのエッジ８０２及び８０４に位置し、ＵＥは、ｍ3ＳＲＳ,０＝７２のＲＢ８１２又はｍ3ＳＲＳ,１＝２４のＲＢ８１４、又はｍ3ＳＲＳ,２＝１２のＲＢ８１６、又はｍ3ＳＲＳ,３＝４のＲＢ８１８を有するＳＲＳ送信帯域幅で構成される。幾つかのＲＢ８０６及び８０８は、サウンディングされないこともあるが、各アップリンクＳＩＮＲがＳＲＳ送信を行うＲＢの近傍から補間されることもあるために、これは、通常これらのＲＢでＰＵＳＣＨ送信をスケジューリングするためのノードＢの能力に影響を及ぼさない。最大帯域幅外のＳＲＳ帯域幅に対して、ノードＢもＳＲＳ送信の開始周波数位置をＵＥに割り当てる。
【００３４】
ＳＲＳ送信パラメータは、上位レイヤーシグナリング、例えば、ＭＡＣレイヤー又は無線リソース制御（ＲＲＣ）レイヤーを通してノードＢにより各ＵＥに対して構成され、上位レイヤーシグナリングを通して再構成されるまで有効なものに保持されると仮定する。これらのＳＲＳ送信パラメータは、ＳＲＳ送信帯域幅、ＳＲＳ開始帯域幅位置、ＳＲＳ送信コム（ＳＲＳがコムスペクトルを有する場合）、ＳＲＳ  ＣＳ、ＳＲＳ送信期間（例えば、５個のサブフレームごとの１つのＳＲＳ送信）、ＳＲＳ送信の開始サブフレーム（例えば、１０００個のサブフレームのセットでの第１のサブフレーム）、及びＳＲＳホッピングがイネーブルされるか否か（ＳＲＳ送信は、動作帯域幅でホッピングするか否か）を含む。
【００３５】
各ＵＥに対するＳＲＳ送信パラメータの構成は、ＳＲＳオーバーヘッドが最小化される一方、アップリンク処理量利得（UL throughput gain）が最大となるようになされなければならない。例えば、チャネルが連続した２つのＳＲＳ送信間で高く相関されたままに保持される場合に、短いＳＲＳ送信期間は、増加されたＵＬオーバーヘッドだけをもたらし得る。逆に、長いＳＲＳ送信期間は、チャネルが高く相関されないこともある２つのＳＲＳ送信の間にサブフレームで適切なアップリンクＣＱＩをノードＢに提供しないこともある。
【００３６】
高いアップリンクデータレート及び高いアップリンクスペクトル効率を可能にすることは、多重ＵＥ送信器アンテナの使用及びシングルユーザ多入力多出力（Single-User Multiple-Input Multiple-Output；ＳＵ−ＭＩＭＯ）方法のアプリケーションを必要とする。潜在的利益をＳＵ−ＭＩＭＯから取得するためには、ノードＢスケジューラは、各ＵＥ送信器アンテナからチャネル推定を備えなければならない。したがって、各ＵＥ送信器アンテナからのＳＲＳ送信を必要とする。また、ＳＵ−ＭＩＭＯの使用が相対的に高いアップリンクＳＩＮＲと頻繁に関連するために、各ＵＥ送信器アンテナからのＳＲＳ送信帯域幅は、大きくなり得る。これは、ＳＲＳマルチプレキシング容量を減少させ、増加されたアップリンクオーバーヘッドをもたらす。ＵＥが４個又は８個の送信器アンテナを有することもあることを考慮すると、ＳＲＳ送信を支援するために要請されたアップリンクオーバーヘッドは非常に大きくなり、ＳＵ−ＭＩＭＯスペクトル効率利得の相当部分を相殺させることができる。
【００３７】
ＳＲＳ送信パラメータが長期間にわたって一定に保持するように構成することは、それぞれのオーバーヘッドの不充分な活用を頻繁にもたらすこともある。ＵＥが送信するデータを有しておらず、したがって、ノードＢによりスケジューリングされない場合に、相対的に頻繁なＳＲＳ送信は無駄である。ＵＥが送信する大量のデータを有し、したがって、ＰＵＳＣＨスケジューリングを頻繁に必要とする場合、頻繁なＳＲＳ送信が要請される。しかしながら、これは、相当なＳＲＳオーバーヘッドをもたらすことなく、上位レイヤー（ＭＡＣ又はＲＲＣ）シグナリングを通してＳＲＳ送信パラメータを半静的（semi-static）に構成することは不可能である。このような条件は、例えば、ファイルアップロード又はウェブブラウジングのような一般的に爆発的なトラフィックと関連したサービスに対して発生する。動的物理レイヤー制御シグナリングを通してイネーブルされたＳＲＳ送信パラメータの迅速な活性化及びＳＲＳ送信パラメータの迅速な構成は、低いＳＲＳオーバーヘッドを保持しつつ、このようなトラフィックモデルを取り扱うのに有益である。
【００３８】
動的に構成された機能は、物理レイヤー制御シグナリング、例えば、ＤＣＩフォーマットを通してイネーブルされ、他方、半静的に構成された機能は、上位レイヤー（ＭＡＣ又はＲＲＣ）シグナリングを通してイネーブルされる。物理レイヤーシグナリングは、サブフレーム期間の順序で迅速なＵＥ応答を可能にする。上位レイヤーシグナリングは、幾つかのサブフレーム期間の順序で低速のＵＥ応答をもたらす。
【００３９】
多重アップリンクコンポーネントキャリア（ＣＣ）を有する通信システムにおいて、ＵＥからのＳＲＳ送信は、各ＰＵＳＣＨ送信を有するこれらのダウンリンクＣＣだけで構成（上位レイヤーシグナリングを通して）されるものと仮定する。このような場合において、ノードＢがイネーブルすることによりＵＥがＰＵＳＣＨ又はＳＲＳ送信で構成されない新規アップリンクＣＣでのＳＲＳ送信の動的又は半静的活性化、及び構成を実行することも有利である。これは、ノードＢが、ＵＥが新規アップリンクＣＣで経験する干渉及びチャネル状態に関する情報を取得するようにする。この情報に基づいて、ノードＢは、新規アップリンクＣＣでＵＥからのＰＵＳＣＨ送信をスケジューリングするか、現存するアップリンクＣＣを新規アップリンクＣＣに置き換える（現存するアップリンクＣＣでスケジューリングを中止し、新規アップリンクＣＣでのスケジューリングを開始する）か、又はアップリンクＣＣの現存する構成を変更しないように実質的に決定することができる。
【発明の概要】
【発明が解決しようとする課題】
【００４０】
そこで、本発明は上記従来の問題点に鑑みてなされたものであって、本発明の目的は、通信システムのアップリンク（ＵＬ）でユーザ装置（ＵＥ）からのサウンディング基準信号（ＳＲＳ）送信の動的活性化、基準ＵＥからＳＲＳ送信が構成されていないコンポーネントキャリアへのＳＲＳ送信の活性化及び構成、及び多重ＵＥ送信器アンテナからのＳＲＳ送信パラメータの構成のための方法及び装置を提供することにある。
【課題を解決するための手段】
【００４１】
上記のような目的を達成するために、本発明の実施形態の一態様によれば、基地局がスケジューリング割当て（ＳＡ）を伝達するダウンリンク制御情報（ＤＣＩ）フォーマットをユーザ装置（ＵＥ）に送信する通信システムにおける上記ＵＥからの基準信号（ＲＳ）の送信を活性化する方法及び装置が提供される。上記ＤＣＩフォーマットは、上記ＵＥから上記基地局へ又は上記基地局から上記ＵＥへのパケット送信を構成する情報要素（ＩＥ）を含む。上記ＩＥは、２進要素を含む。上記ＲＳの送信は、上記ＤＣＩフォーマットＩＥとは独立した所定のパラメータを含む。上記ＤＣＩフォーマットで少なくとも１つの２進要素を含む“ＲＳ活性化”ＩＥは、上記ＵＥにより構成される。上記“ＲＳ活性化”ＩＥの上記少なくとも１つの２進要素が第１の値を有する場合に、上記ＲＳの送信は、上記ＵＥにより中断される。上記“ＲＳ活性化”ＩＥの上記少なくとも１つの２進要素が第２の値を有する場合に、上記ＲＳは、上記ＵＥにより送信される。
【００４２】
本発明の実施形態の他の態様によれば、基地局がスケジューリング割当て（ＳＡ）を伝達するダウンリンク制御情報（ＤＣＩ）フォーマットをユーザ装置（ＵＥ）に送信する通信システムにおける上記ＵＥからの基準信号（ＲＳ）の送信を活性化する方法及び装置が提供される。上記ＤＣＩフォーマットは、上記ＵＥから上記基地局へ又は上記基地局から上記ＵＥへのパケット送信を構成する情報要素（ＩＥ）を含む。上記ＩＥは、２進要素を含む。上記ＲＳの送信は、上記ＤＣＩフォーマットＩＥとは独立した所定のパラメータを含む。ＩＥの２進要素が第１のセットの値に含まれる第１の値を伝達する場合に、上記ＤＣＩフォーマットは、ＳＡを上記ＵＥに伝達するものと解釈する。上記ＩＥの上記２進要素が第２のセットの値に含まれる第２の値を伝達する場合に、上記ＤＣＩフォーマットは、上記ＵＥからの上記ＲＳ送信を活性化するものと解釈する。上記第１のセットの値及び上記第２のセットの値は、相互排他的である。
【００４３】
本発明の実施形態のさらに他の態様によれば、基地局がスケジューリング割当て（ＳＡ）を伝達するダウンリンク制御情報（ＤＣＩ）フォーマットをユーザ装置（ＵＥ）に送信する通信システムにおける上記ＵＥからの基準信号（ＲＳ）の送信パラメータを構成する方法が提供される。上記ＤＣＩフォーマットは、上記ＵＥから上記基地局へ又は上記基地局から上記ＵＥへのパケット送信を構成する情報要素（ＩＥ）を含む。上記ＩＥは、２進要素を含む。少なくとも１つの２進要素を有する“ＲＳ活性化”ＩＥは、上記ＤＣＩフォーマットに含まれる。上記“ＲＳ活性化”ＩＥの上記少なくとも１つの２進要素が第１の値を有する場合に、上記ＤＣＩフォーマットは、ＳＡを上記ＵＥに伝達するものと解釈される。上記“ＲＳ活性化”ＩＥの上記少なくとも１つの２進要素が第２の値を有する場合に、上記ＤＣＩフォーマットは、上記ＲＳの上記送信パラメータを構成するものと解釈される。
【００４４】
本発明の実施形態のさらなる他の態様によれば、基地局がスケジューリング割当て（ＳＡ）を伝達するダウンリンク制御情報（ＤＣＩ）フォーマットをユーザ装置（ＵＥ）に送信する通信システムにおける上記ＵＥからの基準信号（ＲＳ）の送信パラメータを構成する方法が提供される。上記ＤＣＩフォーマットは、上記ＵＥから上記基地局へ又は上記基地局から上記ＵＥへのパケット送信を構成する情報要素（ＩＥ）を含む。上記ＩＥは、２進要素を含む。ＩＥの２進要素が第１のセットの値に含まれる第１の値を伝達する場合に、上記ＤＣＩフォーマットは、ＳＡを上記ＵＥに伝達するものと解釈される。上記ＩＥの上記２進要素が第２のセットの値に含まれる第２の値を伝達する場合に、上記ＤＣＩフォーマットは、上記ＲＳの送信パラメータを構成するものと解釈される。上記第１のセットの値及び上記第２のセットの値は、相互排他的である。
【００４５】
本発明の実施形態のさらに他の１つの態様によれば、ユーザ装置（ＵＥ）から基地局に信号の送信のためのコンポーネントキャリア（ＣＣ）のセットを有し、上記ＵＥは、データ情報を伝達する信号の送信のために上記ＣＣのセットの第１のサブセットを上記基地局により割当てを受ける通信システムにおいて、上記ＣＣのセットの上記第１のサブセットに属していない少なくとも１つの付加ＣＣでデータ情報を伝達する信号を上記ＵＥが送信するようにする上記基地局を具現する方法及び装置が提供される。上記少なくとも１つの付加ＣＣで上記ＵＥからの基準信号（ＲＳ）の送信は、上記基地局により構成される。上記少なくとも１つの付加ＣＣで上記ＲＳは、上記ＵＥにより送信される。
【００４６】
本発明の実施形態のさらにまた他の態様によれば、ユーザ装置（ＵＥ）から基地局に信号の送信のためのコンポーネントキャリア（ＣＣ）のセットを有し、上記ＵＥは、データ情報を伝達する信号の送信のために上記ＣＣのセットの第１のサブセットを上記基地局により割当てを受ける通信システムにおいて、上記第１のサブセットのＣＣに属している第１のＣＣと上記ＣＣのセットの上記第１のサブセットに属していない第２のＣＣでの基準信号（ＲＳ）の送信に対するパラメータを構成する方法及び装置が提供される。上記第１のＣＣでのＲＳ送信パラメータのセットの中で第１のサブセットは、上記基地局により構成される。上記第２のＣＣでのＲＳ送信パラメータの上記セットの中で第２のサブセットは、上記基地局により構成される。
【００４７】
本発明の実施形態のさらなる他の態様によれば、送信器アンテナのセットを有するユーザ装置（ＵＥ）が基地局との通信を行う通信システムにおいて、上記ＵＥ送信器アンテナのセットのサブセットから基準信号（ＲＳ）の送信のためのパラメータのセットを構成する方法が提供される。上記送信器アンテナのセットに含まれた基準ＵＥ送信器アンテナからのＲＳ送信のための上記パラメータのセットのサブセットは、上記基地局により構成される。上記送信器アンテナのセットに含まれた上記基準ＵＥ送信器アンテナからの上記ＲＳ送信のための上記パラメータのセットの上記サブセットから上記送信器アンテナのセットに含まれた残りの送信器アンテナからの上記ＲＳ送信のための上記パラメータのセットの対応するサブセットは、上記基地局により決定される。
【発明の効果】
【００４８】
本発明の実施形態は、ユーザが所定の規則又はフォーマットに従って生成したコンテンツをＤＣＤコンテンツプロバイダーサーバに提出することにより、対応するコンテンツに関連した付加情報を含むことにより、ＤＣＤコンテンツプロバイダーサーバがＤＣＤコンテンツを記憶するか又は分類し、他のユーザと共有する際に容易に制御することができるという長所がある。
【図面の簡単な説明】
【００４９】
【図１】通信システムのアップリンクでＰＵＳＣＨ送信のためのアップリンクサブフレームの構成を示す図である。
【図２】ノードＢでＳＡの符号化工程を示すブロック図である。
【図３】ＵＥでＳＡのデコーディング工程を示すブロック図である。
【図４】アップリンクサブフレームの構成でＳＲＳマルチプレキシング方法を示す図である。
【図５】ＲＳ送信器の構成を示すブロック図である。
【図６】ＲＳ受信器の構成を示すブロック図である。
【図７】ＣＡＺＡＣシーケンスの異なる循環シフトを用いて直交ＲＳマルチプレキシングを示す図である。
【図８】様々な帯域幅でＳＲＳ送信をマルチプレキシングするための構成を示す図である。
【図９】本発明の実施形態によるアップリンクＳＡ  ＤＣＩフォーマットに基づいてＳＲＳ活性化のためのＵＥ決定工程を示す図である。
【発明を実施するための形態】
【００５０】
本発明の他の目的、利点、及び顕著な特徴は、添付の図面及び本発明の実施形態からなされた以下の詳細な説明から、この分野の当業者に明確になるはずである。
【００５１】
以下、本発明の好適な一実施形態を添付図面を参照しつつ詳細に説明する。下記の説明において、同一の構成要素及び部分には、可能な限り同一の符号及び番号を共通使用するものとする。また、明瞭性と簡潔性の観点から、本発明に関連した公知の機能や構成に関する具体的な説明が本発明の要旨を不明瞭にすると判断される場合には、その詳細な説明を省略する。
【００５２】
本発明は、直交周波数分割多重接続（Orthogonal Frequency Division Multiple Access；ＯＦＤＭＡ）通信システムに関連して説明する。しかしながら、本発明は、一般的に、すべての周波数分割多重化（Frequency Division Multiplexing；ＦＤＭ）システムに適用することができ、特に、単一キャリア周波数分割多重接続（Single-Carrier Frequency Division Multiple Access；ＳＣ−ＦＤＭＡ）、直交周波数分割多重（Orthogonal Frequency Division Multiple；ＯＦＤＭ）、周波数分割多重接続（Frequency Division Multiple Access；ＦＤＭＡ）、離散フーリエ変換拡散ＯＦＤＭ（Discrete Fourier Transform-Spread-OFDM；ＤＦＴ−Ｓ−ＯＦＤＭ）、ＤＦＴ−Ｓ−ＯＦＤＭＡ、単一キャリアＯＦＤＭＡ（ＳＣ−ＯＦＤＭＡ）、及びＳＣ−ＯＦＤＭに適用することができる。
【００５３】
本発明の実施形態は、基準ＵＥに対するＳＲＳ送信が構成されたアップリンクＣＣでＳＲＳ送信の動的活性化及び非活性化、ＳＲＳ送信パラメータの動的構成、ＳＲＳ送信が構成されないアップリンクＣＣでＳＲＳ送信の動的又は半静的活性化及び構成、及び多重ＵＥアンテナからのＳＲＳ送信パラメータの動的構成に関する。
【００５４】
ＳＲＳ送信の動的活性化及び非活性化は、ＵＥがデコーディングするアップリンクＳＡ  ＤＣＩフォーマットの中から少なくとも１つのアップリンクＳＡ  ＤＣＩフォーマットを使用する。活性化されたＳＲＳ送信は、ディスエーブルされるまで１回又は継続して発生し得る。
【００５５】
例えば、期間、帯域幅、コム、及びＣＳのようなＳＲＳ送信パラメータの動的構成は、ディスエーブルされるまで１回又は継続して発生し得る。
【００５６】
アップリンクＳＡ  ＤＣＩフォーマットを用いてＳＲＳ送信の活性化又は非活性化を行う第１の方法は、１ビットの“ＳＲＳ活性化”ＩＥを含む。ＵＥは、アップリンクＳＡ  ＤＣＩフォーマットを受信する時、“ＳＲＳ活性化”ＩＥの値を検査する。例えば、“ＳＲＳ活性化”＝０は、現存するＳＲＳ送信の非活性化を示すか、又はＳＲＳ送信の不在を保持することを示すことができる。“ＳＲＳ活性化”＝１は、ＳＲＳ送信の活性化を示すか、又は上位レイヤーシグナリングを通して前に割り当てられたパラメータを用いて現存するＳＲＳ送信を保持することを示すことができる。活性化されたＳＲＳ送信は、ディスエーブルされるまで１回又は継続して発生し得る。１回発生する活性化されたＳＲＳ送信は、ＳＲＳ送信が構成されていないアップリンクＣＣに存在し得る。
【００５７】
ＵＥが１つ以上の送信器アンテナを有している場合に、ＳＲＳ活性化は、これらのアンテナのサブセットだけに適用され得る。多重アンテナサブセットの活性化を示すための第１の方法は、明示的なシグナリングを通して行われる。“ＳＲＳ活性化”ＩＥでのビットの個数は、可能なすべてのアンテナサブセットをアドレッシングすることができなければならない。例えば、２個又は４個の送信器アンテナを有するＵＥにおいて、表３に示すように、２ビット“ＳＲＳ活性化”ＩＥは、ＵＥにより解釈されることができる。同一の原理は、ＵＥ送信器アンテナの個数がさらに大きい場合に拡張されることができる。
【００５８】
【表３】
0005547734.tif 000008
【００５９】
ＵＥ動作を図９に示し、ここでは、４個のＵＥ送信器アンテナが存在すると仮定する。信号受信９１０を行うと、ＵＥは、ブロック９２０でアップリンクＳＡ  ＤＣＩフォーマットをデコーディングし、ブロック９３０で“ＳＲＳ活性化”ＩＥの値を検査する。この値が００である場合に、ＳＲＳは、ブロック９４０に示すように活性化されない（又は活性化ＳＲＳは非活性化される）。この値が０１である場合に、ブロック９５０に示すように、ＵＥは、前に構成されたパラメータを用いてアンテナ１及びアンテナ２からＳＲＳ送信を開始する。この値が１０である場合に、ブロック９６０に示すように、ＵＥは、前に構成されたパラメータを用いてアンテナ３及びアンテナ４からＳＲＳ送信を開始する。この値が１１である場合に、ブロック９７０に示すように、ＵＥは、前に構成されたパラメータを用いて４個のすべてのアンテナからＳＲＳ送信を開始する。
【００６０】
アップリンクＳＡ  ＤＣＩフォーマットを通して多重ＵＥ送信器アンテナサブセットからＳＲＳ送信を活性化するか又は非活性化するための第２の方法は、明示的及び暗示的シグナリングの組合せを活用する。１ビットの“ＳＲＳ活性化”ＩＥは、他のＩＥと結合されることができるが、後者（latter）のＩＥをアドレッシング可能な範囲の任意の条件の下で可能である。例えば、“ＳＲＳ活性化”ＩＥを“ＣＱＩ要請”ＩＥと結合する場合に、これらの組合せは、表４に示すように解釈されることができる。この制限は、ポジティブＣＱＩ要請及びＳＲＳ活性化が同一のアップリンクＳＡ  ＤＣＩフォーマットで同時に発生することができず、４個のＵＥ送信器アンテナの場合に、｛アンテナ３、アンテナ４｝のサブセットの独立した活性化も不可能であるというものである。それにもかかわらず、大部分の構成は、２個のＵＥ送信器アンテナの場合だけでなく、全体を明示的にシグナリングする際に比べて、アップリンクＳＡ  ＤＣＩフォーマットの個数が１ずつ減少しつつアドレッシングされることができる。
【００６１】
【表４】
0005547734.tif 000009
【００６２】
ＳＲＳ活性化のための明示的及び暗示的シグナリングの他の組合せは、ＭＣＳ  ＩＥのＩＭＣＳ値を活用する。４個のリダンダンシーバージョン（redundancy version；ＲＶ）ＲＶ０、ＲＶ１、ＲＶ２、及びＲＶ３を有する増加リダンダンシー（Incremental Redundancy：ＩＲ）は、ＨＡＲＱ工程に適用されると仮定する。ＲＶ間の分離を最大にすることにより各ＨＡＲＱ送信に対する各符号化利得を最大にするために、ＲＶの順序は、｛ＲＶ０、ＲＶ２、ＲＶ３、ＲＶ１｝であり得、ＲＶ０は、初期パケット送信に対応する。その後に、同期アップリンクＨＡＲＱに対して、５ビットのＭＣＳ  ＩＥの終わりの３個の値は、同一の送信ブロックに対して最も最近のＰＤＣＣＨから決定されるＭＣＳで再送信のための３個のＲＶの中の１つを示すことができる。したがって、０≦ＩＭＣＳ≦２８は、新規パケット送信のための有効なＭＣＳを示し、再送信のために、ＲＶ２、ＲＶ３、及びＲＶ１は、それぞれＩＭＣＳ＝２９、ＩＭＣＳ＝３０、及びＩＭＣＳ＝３１で示される。ＲＶ１及びＲＶ３が再送信に最も低い頻度で使用されるために、後者がＳＲＳ送信を示す度に、アンテナサブセットを表５に示す配置と同様にアドレッシングするために、これらは、“ＳＲＳ活性化”ＩＥと結合されることができる。“ＳＲＳ活性化”＝１である度にＲＶ１又はＲＶ３の使用が不能となるのは、システムスループットで損失をもたらすが、これは、無視できる程である。
【００６３】
【表５】
0005547734.tif 000010
【００６４】
表３、表４、及び表５に示す実施形態の変形例を適用することができる。例えば、表５において、２個のＵＥ送信器アンテナに対して、ＭＣＳエントリーＩＭＣＳ＝３０は、まったく使用されなくてもよい。その代りに、送信器アンテナ１に対するＳＲＳ活性化は、ＳＲＳ送信がイネーブルされる度に常に適用されてもよい。さらに、前のすべての場合において、ＳＲＳ送信は、“ＳＲＳ活性化”＝０を有することによりアップリンクＳＡ  ＤＣＩフォーマットを通してディスエーブルされることができる。
【００６５】
多重送信器アンテナを有するＵＥにおいて、ＳＲＳ送信パラメータが上位レイヤー（ＭＡＣ又はＲＲＣ）シグナリングを通して構成されると、ＳＲＳ送信は、明示的な活性化なしに開始することができる。しかしながら、この場合に、各ＳＲＳ送信インスタンスで１本のアンテナのみからのＳＲＳ送信を仮定することにより、連続的なＳＲＳ送信インスタンスにおいてアンテナ間で交互に行うことが可能となる。例えば、アンテナ１は、第１のＳＲＳ送信インスタンスで使用されてもよく、アンテナ２は、次のＳＲＳ送信インスタンスで使用されてもよい。アンテナサブセットからのＳＲＳ送信の活性化は、上述したように発生する。表６は、１ビットの“ＳＲＳ活性化”ＩＥを使用する多重アンテナからの明示的なＳＲＳ活性化を示す。表７は、１ビットの“ＳＲＳ活性化”ＩＥを用いる多重アンテナからの明示的かつ暗示的なＳＲＳ活性化の例を示す。
【００６６】
【表６】
0005547734.tif 000011
【００６７】
【表７】
0005547734.tif 000012
【００６８】
明示的かつ暗示的なシグナリングの組合せがある場合又は暗示的なシグナリングがＳＲＳ活性化に使用される場合のＵＥ動作は、図９に関する説明から直接的な方式で誘導されることができる。
【００６９】
ＳＲＳ送信がすでに構成されているアップリンクＣＣ又はＳＲＳ送信が構成されていないアップリンクＣＣでのＳＲＳ送信パラメータの動的構成は、基準ＵＥがデコーディングするものと仮定される、可能な多重アップリンクＳＡ  ＤＣＩフォーマットの中の少なくとも１つを活用する。ＳＲＳ送信が構成されているアップリンクＣＣにおいて、ＳＲＳ送信パラメータの動的構成は、前に構成されているＳＲＳ送信パラメータを置き換える（override）。ＳＲＳ送信が構成されていないアップリンクＣＣにおいて、ＳＲＳ送信パラメータの動的構成もＳＲＳ送信の活性化として機能する。
【００７０】
ＳＲＳ送信パラメータを構成する際に、アップリンクＳＡ  ＤＣＩフォーマットは、パケット送信のスケジューリングとして解釈されないが、ＳＲＳ送信を構成するものと解釈される。この構成は、“ＳＲＳ活性化”ＩＥを用いて明示的又は現存するＩＥで特定値を用いて暗示的に実行されることができる。例えば、暗示的な指示に関連して、アップリンクＳＡ  ＤＣＩフォーマットは、“ＣＱＩ要請”ＩＥが１と同一であり、“ＭＣＳ”ＩＥ  ＩＭＣＳが３０又は３１と同一である場合に、ＳＲＳ送信を構成するものと解釈されてもよい。明示的な指示に関連して、アップリンクＳＡ  ＤＣＩフォーマットは、“ＳＲＳ活性化”ＩＥが１と同一であるか、又は“ＳＲＳ活性化”ＩＥが０と同一であり、ＳＲＳ送信が上位レイヤー（ＭＡＣ又はＲＲＣ）シグナリングにより前に構成されているままに保持される場合にＳＲＳ送信を構成するものと解釈されてもよい。表１でのアップリンクＳＡ  ＤＣＩフォーマット及び“ＳＲＳ活性化”ＩＥ（このＩＥは、ＳＲＳ送信パラメータの暗示的な構成を必要としない。）の包含を考慮すると、アップリンクＳＡ  ＤＣＩフォーマットは、表８に示すように解釈されてもよい。
【００７１】
【表８】
0005547734.tif 000013
【００７２】
“ＳＲＳ活性化”ＩＥ及びＣＲＣフィールドは、ＵＥ送信器アンテナの個数に基づいていない。残りのＩＥは、全体の柔軟性（flexibility）を提供するためにＵＥ送信器アンテナごとに適用され得る。しかしながら、１つ以上のＵＥ送信器アンテナにおいて、ＳＲＳ送信を構成するアップリンクＳＡ  ＤＣＩフォーマットの全サイズは、データパケット送信をスケジューリングするためのものよりさらに大きくなり得る。付加的に、各アンテナに対するＳＲＳ送信パラメータを独立して構成するための柔軟性は、通常必要としない。ＵＥ送信器アンテナの個数が増加するほどＳＲＳ送信を構成するためのアップリンクＳＡ  ＤＣＩフォーマットサイズの増加を防止するために、本発明の実施形態は、幾つかの制限及び簡素化を考慮する。
【００７３】
多重ＵＥアンテナからのＳＲＳ送信において、同一の帯域幅がすべてのアンテナに対して使用されることができる。したがって、本発明の実施形態は、ＳＲＳ送信帯域幅、ＳＲＳ開始帯域幅位置、ＳＲＳホッピング活性化、及びＳＲＳ送信のアップリンクＣＣは、１つのＵＥ送信器アンテナに対して特定され、残りのＵＥ送信器アンテナに対して同一である。
【００７４】
他の形態において、これらのＳＲＳ送信パラメータは、基準送信器アンテナに対してアップリンクＳＡ  ＤＣＩフォーマットを通して特定されたものに関連した所定のルールに従って誘導され得る。例えば、２つのＵＥアンテナからの送信が相関される場合に送信アンテナダイバーシティを支援するために、第２のアンテナに対する開始ＳＲＳ送信帯域幅は、第１のアンテナに対する開始ＳＲＳ送信帯域幅から最も遠く離れているものとなり得る。ＵＥ送信器アンテナに対する前のＳＲＳパラメータ間の正確な関係にかかわらず、本発明の実施形態は、これらが１つのＵＥ送信器アンテナに対してただシグナリングされるものと見なす。
【００７５】
すべてのＵＥ送信器アンテナ間で共通され得る他のＳＲＳ送信パラメータは、ＳＲＳ送信期間及びＳＲＳ開始送信サブフレームである。これは、ノードＢスケジューラが各ＵＥ送信器アンテナに対するアップリンクＣＱＩ推定の提供を同時に受けることが有利であるという事実による。そうでない場合、アップリンクＣＱＩ信頼性は、アップリンクチャネルが時間とともに変化しつつアンテナ間で異なることもあり、これは、アップリンクスペクトル効率を劣化させることもある。付加的に、これらのパラメータの構成において、上位レイヤー（ＭＡＣ又はＲＲＣ）シグナリングを通してすでに構成されたものに比べて、相対的に減少された範囲が適用されてもよい。例えば、上位レイヤーシグナリングは、８ビットを用いてＳＲＳ開始送信サブフレームを構成するが、その後続（subsequent）構成での調整は、４ビットを用いて前に構成されたサブフレームに関連した１６個の可能な所定のサブフレーム位置の中で１個を通知する。
【００７６】
上位レイヤー（ＭＡＣ又はＲＲＣ）シグナリングがこれらのパラメータを構成するのに使用され、構成の時にＳＲＳ活性化が即座に又はアップリンクＳＡ  ＤＣＩフォーマットを通してその次にイネーブルされる場合に、多重ＵＥ送信器アンテナからＳＲＳ送信パラメータでの前の制限が適用され得る。上位レイヤー（ＭＡＣ又はＲＲＣ）シグナリングは、１つの基準ＵＥ送信器アンテナに対するＳＲＳ送信パラメータだけを特定することができ、残りのＵＥ送信器アンテナに対するＳＲＳ送信パラメータは、基準ＵＥ送信器アンテナに対するものと同一であるかこれらから所定の方式で誘導されることができる。
【００７７】
ＳＲＳ  ＣＳ及びＳＲＳ送信コムについて、ＳＲＳ送信を構成するアップリンクＳＡ  ＤＣＩフォーマットでそれぞれのＩＥを通してこれらを特定することが頻繁に有利なこともある。これは、基準ＵＥからのＳＲＳ送信が構成される必要がある場合に、他のＵＥからのＳＲＳ送信が同一の帯域幅及び同一のサブフレームにすでに存在することができるためである。ＳＲＳ衝突は、基準ＵＥからのＳＲＳ送信に異なるＣＳ又はコムを割り当てることにより防止することができる。このようなオプションは、ＳＲＳ送信パラメータを構成するアップリンクＳＡ  ＤＣＩフォーマットでビット数を適切に大きくする際に可能である。
【００７８】
ＳＲＳ  ＴＰＣコマンドについて、異なるＵＥ送信器アンテナは、それぞれの送信電力の異なる調整要求につながる異なるシャドーイング状況（shadowing conditions）を経験することもある。しかしながら、ＵＥ送信器アンテナ間での異なるシャドーイング状況は、サブフレーム期間よりはるかにさらに長い期間にわたって一定に保持されるので、それぞれの電力制御調整は、上位レイヤー（ＭＡＣ又はＲＲＣ）を通して行われることができ、すべてのＵＥ送信器アンテナに適用可能な単一ＴＰＣコマンドのみがＳＲＳ送信パラメータを構成するＤＣＩフォーマットに含まれることができる。
【００７９】
ＳＲＳ送信パラメータを構成するアップリンクＳＡ  ＤＣＩフォーマットでのビットの数が適切に大きくない場合、第１のアンテナからのＳＲＳ送信に対するＣＳ及びコムのみが明示的にシグナリングされることができ、他方、残りのアンテナに対するそれぞれのパラメータは、第１のアンテナに対するものから暗示的に誘導される。例えば、２個の送信アンテナを有するＵＥにおいて、可能なＣＳ値のセットからの第１のＣＳ値が第１のアンテナからＳＲＳ送信に対して明示的にシグナリングされる場合に、第２のアンテナからのＳＲＳ送信に対するＣＳ値は、異なるコムが使用される際に第１のアンテナからのＳＲＳ送信に対するＣＳ値と同一であることができ、ＣＳ値のセットからその次のＣＳ値であるか、又はＣＳ値のセットからシグナリングされたＣＳ値から最も遠く離れているＣＳ値であることができる。同様に、第２のアンテナからのＳＲＳ送信に対するコムは、異なるＣＳ値が使用される場合に第１のアンテナからのＳＲＳ送信に対するコムと同一であるか、又は２つの可能なコム値を仮定する場合に、第１のアンテナからのＳＲＳ送信が第１のコム値を使用する場合に、第２のアンテナからのＳＲＳ送信は、第２のコム値を使用する。
【００８０】
前の制限及び簡素化に基づいて、ＳＲＳ送信パラメータの構成に対するアップリンクＳＡ  ＤＣＩフォーマットコンテンツは、ＵＥ送信器アンテナの中の１つに対して表９に示すように解釈されてもよい。
【００８１】
【表９】
0005547734.tif 000014
【００８２】
ＳＲＳ  ＣＳ及びＳＲＳコムがすべてのＵＥ送信器アンテナに対して明示的にシグナリングされる場合に、ＳＲＳ送信パラメータの構成に対するアップリンクＳＡ  ＤＣＩフォーマットコンテンツは、ＵＥ送信器アンテナの中の１つに対して表１０に示すように解釈されてもよい。
【００８３】
【表１０】
0005547734.tif 000015
【００８４】
ＵＥは、ＳＲＳ送信パラメータが特定される送信器アンテナを選択することができ、ノードＢは、ＳＲＳ送信パラメータを特定するＵＥ送信器アンテナを認識することができないこともある。さらに、ＳＲＳ送信パラメータの前の暗示的な構成が物理レイヤー制御シグナリング（ＤＣＩフォーマットを通して）を仮定して説明したが、同一の原理は、ＭＡＣシグナリング又はＲＲＣシグナリングのような上位レイヤー制御シグナリングに対して適用される。
【００８５】
構成されたＳＲＳ送信は、現存するＳＲＳ送信と同一のアップリンクＣＣに存在し得る。この場合に、ＳＲＳ送信パラメータの構成は、使用可能なリソースをさらに効率的に活用し、関連したＳＲＳオーバーヘッドを最小化するように機能することができる。例えば、良好なＳＩＮＲが帯域幅の特定の部分で取得される場合に、ノードＢは、ＳＲＳホッピングを動的にディスエーブルすることができるか、又は反対の状況が発生する際にＳＲＳホッピングを動的にイネーブルすることができる。また、ノードＢは、ＳＲＳマルチプレキシング能力を改善し、対応するオーバーヘッドを減少させるために、他のＵＥに使用可能となるＳＲＳ送信リソースを動的に再び割り当てることができるか、又はＵＥ  ＳＩＮＲが増加（及び減少）するに従ってＳＲＳ送信帯域幅を増加させることができる。
【００８６】
構成されたＳＲＳ送信が現存するＳＲＳ送信が構成されないアップリンクＣＣに対応する場合に、ＳＲＳ送信は、単一、“ワンショット”（one-shot）、送信となり得、これは、ＵＥが新規アップリンクＣＣで経験することもあるチャネル状態及び干渉の推定を提供するように機能する。このような情報に基づいて、サービングノードＢは、新規アップリンクＣＣをＰＵＳＣＨ送信が構成されているものと合体するためにＰＵＳＣＨ送信を基準ＵＥから新規アップリンクＣＣに遷移する判定を行うか、又はＰＵＳＣＨ送信に対する新規アップリンクＣＣの構成を反対する判定を行うことができる。基準ＵＥは、例えば、前の上位レイヤー（ＭＡＣ又はＲＲＣ）シグナリングを通して、アップリンクＣＣのナンバリング（numbering）を認識しているものと仮定する。現存するＳＲＳ送信が構成されないアップリンクＣＣでのＳＲＳ送信パラメータの構成は、上位レイヤーシグナリングを通して半静的になされることができる。ＳＲＳ送信パラメータの上述したＤＣＩフォーマット構成は、上位レイヤーシグナリングを用いてさらに提供される。
【００８７】
現存するＳＲＳ送信が構成されないアップリンクＣＣでのＳＲＳ送信パラメータの構成において、ＳＲＳ活性化、ＳＲＳホッピング、及びＳＲＳ送信周期性（単一ＳＲＳ送信を仮定する）に関する情報を提供する必要がないために、表８、表９、又は表１０でのすべてのＩＥが特定される必要があるのではない。ＳＲＳ送信サブフレームにおいて、固定されたオフセットがＤＣＩフォーマット送信のサブフレームとＳＲＳ送信のサブフレーム間に適用される際に、なんの特定も適用されないことがある。例えば、ＳＲＳ送信のサブフレームは、アップリンクＳＡ  ＤＣＩフォーマット受信のサブフレームをそのまま従うこともある。しかしながら、ある程度の柔軟性を提供するために、３ビットのような小さい数のビットは、このサブフレームがアップリンクＳＡ  ＤＣＩフォーマットの受信後の最初のアップリンクサブフレームに対して相対的に特定され得ることを示すために使用されることができる。また、送信は、すべてのＵＥ送信器アンテナからではなく、ＵＥ送信器アンテナのセットのサブセットだけから予め構成されてもよい。
【００８８】
ＣＳ及びコムの明示的な指示は、使用されないＩＥを活用することにより適用することができる。ＳＲＳ送信パラメータが構成されるアップリンクＣＣですでにＳＲＳ送信がなされたか否か（ＩＥがこれらのそれぞれの情報を伝達するか又はこれらのＩＥのビットがＣＳを伝達するか又は多重送信器アンテナに対するコムを伝達することができる。）に基づいて、ＵＥは、これらのＩＥに対応するビットを異なって解釈する。付加的に、現存するＳＲＳ送信が構成されていないアップリンクＣＣでＳＲＳの送信に対する電力制御コマンドがＤＣＩフォーマットに含まれてもよい。表１１は、この再解釈形態を要約する。一般的に、アップリンクＳＡ  ＤＣＩフォーマットでＳＲＳ送信に対するパラメータを構成するのに必要なビットの数がアップリンクＳＡ  ＤＣＩフォーマットでのビットの数より小さい場合に、残りのビットの各々は、ゼロのようなそれぞれの所定の値に設定されることができる。表１１の情報は、上位レイヤー（ＭＡＣ又はＲＲＣ）シグナリングにより提供されてもよい。
【００８９】
【表１１】
0005547734.tif 000016
【００９０】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれに均等なものの範囲内で定められるべきである。
【符号の説明】
【００９１】
２１０・・・ＳＡビット
２４０・・・マスキングされたＵＥ  ＩＤ
２９０・・・制御信号
４０１，４０２，４０３・・・サブフレーム
５５０・・・循環シフター
５８０・・・送信信号
６１０・・・受信信号
６４０・・・循環デシフター
６７０・・・乗算器
６８０・・・ＣＡＺＡＣ基盤シーケンス
【図１】
0005547734.tif 000017
【図２】
0005547734.tif 000018
【図３】
0005547734.tif 000019
【図４】
0005547734.tif 000020
【図５】
0005547734.tif 000021
【図６】
0005547734.tif 000022
【図７】
0005547734.tif 000023
【図８】
0005547734.tif 000024
【図９】
0005547734.tif 000025